(57)【要約】【課題】  利用者が、コンピュータ端末に記憶されている特定形式のデータが記憶された記憶媒体を簡便に作成できるようにすること。【解決手段】  利用者のコンピュータ端末１に着脱可能とされ、少なくとも特定形式のデータを読み出し可能に記憶するための記憶部２２と、装着されるコンピュータ端末とのデータの送受を行うためのデータ通信部２１と、装着されるコンピュータ端末において実行可能であって、該コンピュータ端末の記憶装置に記憶されている特定形式のデータを検索して、該検索された特定形式のデータを読み出して前記データ通信部を通じて送信することにより前記記憶部に複製記憶する抽出アプリケーションプログラムを記憶する抽出アプリケーションプログラム記憶部２２とを備える。【選択図】  図３
2006304233.tif 000002
【特許請求の範囲】
【請求項１】
利用者が操作可能なコンピュータ端末に着脱可能とされ、少なくとも特定形式のデータを読み出し可能に記憶するための記憶部を備えるコンピュータ端末用記憶媒体であって、
装着されるコンピュータ端末のインターフェイス部を通じて、該コンピュータ端末とのデータの送受を行うためのデータ通信部と、
装着される前記コンピュータ端末において実行可能であって、該コンピュータ端末の記憶装置に記憶されている予め定められた特定形式のデータを検索する検索ステップと、該検索ステップにて検索された特定形式のデータを前記記憶装置から読み出して前記データ通信部を通じて送信することにより前記記憶部に複製記憶する複製記憶ステップとを含む抽出アプリケーションプログラムを記憶する抽出アプリケーションプログラム記憶部と、
を備えることを特徴とするコンピュータ端末用記憶媒体。
【請求項２】
前記抽出アプリケーションプログラム記憶部の所定領域には、前記コンピュータ端末において実行されているオペレーティングシステムプログラムにより当該コンピュータ端末用記憶媒体が装着されたことが検知された際に、当該コンピュータ端末において前記抽出アプリケーションプログラムを自動実行させるための自動起動用データが記憶されていることを特徴とする請求項１に記載のコンピュータ端末用記憶媒体。
【請求項３】
前記抽出アプリケーションプログラムは、前記コンピュータ端末の記憶装置における予め定められた特定の記憶領域に記憶されている特定形式のデータについては、検索対象としないことを特徴とする請求項１または２に記載のコンピュータ端末用記憶媒体。
【請求項４】
前記抽出アプリケーションプログラムは、前記複製記憶ステップを実施する以前において、既に前記記憶部に記憶されている特定形式のデータを消去するか否かを受付ける消去受付けステップを含むことを特徴とする請求項１〜３のいずれかに記載のコンピュータ端末用記憶媒体。
【請求項５】
前記特定形式のデータが特定形式の画像データであって、
前記抽出アプリケーションプログラムは、
前記複製記憶ステップにより前記記憶部に複写記憶された画像データの簡易画像を含む画像一覧を前記コンピュータ端末に表示して、各画像データの前記記憶部への継続保存或いは消去を受付ける選別ステップと、
前記選別ステップにて消去を受付けた画像データを前記記憶部から削除する削除ステップを含むことを特徴とする請求項１〜４のいずれか記載のコンピュータ端末用記憶媒体。
【請求項６】
前記選別ステップにおいては、継続保存を受付けた画像データを前記コンピュータ端末の記憶装置から削除するか否かをさらに受付け、
前記選別ステップにて消去を受付けた画像データを前記記憶装置から削除する元画像データ削除ステップを含むことを特徴とする請求項５に記載のコンピュータ端末用記憶媒体。
【発明の詳細な説明】
【技術分野】
【０００１】
本発明は、利用者が操作可能なパソコン等のコンピュータ端末に着脱可能とされ、少なくとも特定形式のデータを読み出し可能に記憶するコンピュータ端末用記憶媒体に関する。
【背景技術】
【０００２】
近年、デジタルカメラの急速な普及に伴って、これらデジタルカメラにて撮影した画像データや動画データを、利用者が自身のパソコンに取り込んで保存したり、パソコンにて再生表示させて画像（写真）を楽しむことがなされている。
【発明の開示】
【発明が解決しようとする課題】
【０００３】
しかしながら、プリンタを所持していない利用者や、プリンタを所持していても高品質な写真を入手したい利用者が、これら一度パソコンに取り込んだ画像データが印刷された写真を取得するには、これら画像データを、例えばＤＴＰショップ等に持ち込んで写真印刷出力してもらう必要があるが、これらパソコンの操作に不得手な高齢者等の操作弱者にとって、これら写真にしたい画像データがパソコンのどのフォルダに記憶されているのかが判り難いばかりか、たとえ写真にしたい画像データの所在が判ったとしても、これら写真にしたい画像データをどのようにして操作して記憶媒体に記憶してＤＴＰショップに持ち込んで良いのかが判らず、これら所望の画像データを写真とすることが非常に難しいものとなってしまう場合があるという問題があった。
【０００４】
本発明は、このような問題点に着目してなされたもので、高齢者等の操作弱者等の利用者が、自己のパソコン等のコンピュータ端末に記憶されている画像データ等の特定形式のデータが記憶された記憶媒体を、簡便に作成することのできるコンピュータ端末用記憶媒体を提供することを目的としている。
【課題を解決するための手段】
【０００５】
上記の目的を解決するために、本発明の請求項１のコンピュータ端末用記憶媒体は、
利用者が操作可能なコンピュータ端末に着脱可能とされ、少なくとも特定形式のデータを読み出し可能に記憶するための記憶部を備えるコンピュータ端末用記憶媒体であって、
装着されるコンピュータ端末のインターフェイス部を通じて、該コンピュータ端末とのデータの送受を行うためのデータ通信部と、
装着される前記コンピュータ端末において実行可能であって、該コンピュータ端末の記憶装置に記憶されている予め定められた特定形式のデータを検索する検索ステップと、該検索ステップにて検索された特定形式のデータを前記記憶装置から読み出して前記データ通信部を通じて送信することにより前記記憶部に複製記憶する複製記憶ステップとを含む抽出アプリケーションプログラムを記憶する抽出アプリケーションプログラム記憶部と、
を備えることを特徴としている。
この特徴によれば、利用者は、取り出したい特定形式のデータが記憶されているコンピュータ端末に本発明のコンピュータ端末用記憶媒体を装着し、該コンピュータ端末にて前記抽出アプリケーションプログラムを実行させることで、該コンピュータ端末に記憶されている特定形式のデータがコンピュータ端末用記憶媒体の記憶部に複製記憶されるので、利用者が高齢者等の操作弱者であっても、コンピュータ端末に記憶されている特定形式のデータが記憶された記憶媒体を簡便に作成することができる。
【０００６】
本発明の請求項２のコンピュータ端末用記憶媒体は、請求項１に記載のコンピュータ端末用記憶媒体であって、
前記抽出アプリケーションプログラム記憶部の所定領域には、前記コンピュータ端末において実行されているオペレーティングシステムプログラムにより当該コンピュータ端末用記憶媒体が装着されたことが検知された際に、当該コンピュータ端末において前記抽出アプリケーションプログラムを自動実行させるための自動起動用データが記憶されていることを特徴としている。
この特徴によれば、利用者は、取り出したい特定形式のデータが記憶されているコンピュータ端末に本発明のコンピュータ端末用記憶媒体を装着することで、抽出アプリケーションプログラムが自動的に起動されるので、利用者が該抽出アプリケーションプログラムの起動操作を行う手間を省くことができる。
【０００７】
本発明の請求項３のコンピュータ端末用記憶媒体は、請求項１または２に記載のコンピュータ端末用記憶媒体であって、
前記抽出アプリケーションプログラムは、前記コンピュータ端末の記憶装置における予め定められた特定の記憶領域に記憶されている特定形式のデータについては、検索対象としないことを特徴としている。
この特徴によれば、取り出したい特定形式のデータと同じ特定形式のデータであるが、取り出す必要の無いデータが記憶されていることが予め判明している特定の記憶領域、例えば記憶装置において利用者がデータを記憶することが殆どないオペレーティングシステムプログラムの記憶領域等が検索されて、不必要な特定形式のデータが複製記憶されてしまうことを回避できる。
【０００８】
本発明の請求項４のコンピュータ端末用記憶媒体は、請求項１〜３のいずれかに記載のコンピュータ端末用記憶媒体であって、
前記抽出アプリケーションプログラムは、前記複製記憶ステップを実施する以前において、既に前記記憶部に記憶されている特定形式のデータを消去するか否かを受付ける消去受付けステップを含むことを特徴としている。
この特徴によれば、利用者からの消去の受付けに応じて既に記憶部に記憶されている特定形式のデータが消去されるので、これら既に記憶部に記憶されている特定形式のデータと、複製記憶ステップにて新たに複製記憶される特定形式のデータとが記憶部に混在することで、記憶部に複製記憶された特定形式のデータから所望のデータを特定し難くなってしまうことを回避できる。
【０００９】
本発明の請求項５のコンピュータ端末用記憶媒体は、請求項１〜３のいずれかに記載のコンピュータ端末用記憶媒体であって、
前記特定形式のデータが特定形式の画像データであって、
前記抽出アプリケーションプログラムは、
前記複製記憶ステップにより前記記憶部に複写記憶された画像データの簡易画像を含む画像一覧を前記コンピュータ端末に表示して、各画像データの前記記憶部への継続保存或いは消去を受付ける選別ステップと、
前記選別ステップにて消去を受付けた画像データを前記記憶部から削除する削除ステップを含むことを特徴としている。
この特徴によれば、利用者は、記憶部に複製記憶された画像データのうち、不必要な画像データと必要な画像データとの選別を、簡易画像にて各画像データを確認しながら実施し、不必要な画像データを簡便に消去することができる。
【００１０】
本発明の請求項６のコンピュータ端末用記憶媒体は、請求項５に記載のコンピュータ端末用記憶媒体であって、
前記選別ステップにおいては、継続保存を受付けた画像データを前記コンピュータ端末の記憶装置から削除するか否かをさらに受付け、
前記選別ステップにて消去を受付けた画像データを前記記憶装置から削除する元画像データ削除ステップを含むことを特徴としている。
この特徴によれば、利用者は、コンピュータ端末用記憶媒体に複製記憶した画像データの元画像データをコンピュータ端末に継続して記憶しておく必要がない場合には、該元画像データの所在を、コンピュータ端末の記憶装置において探し出すことなく簡便に消去することができる。
【発明を実施するための最良の形態】
【００１１】
本発明の実施例を以下に説明する。
【実施例】
【００１２】
図１は、本実施例のコンピュータ端末用記憶媒体であるＵＳＢメモリ２と該ＵＳＢメモリ２が装着されるコンピュータ端末となるノートパソコン１とを示す図である。
【００１３】
まず、本実施例に用いたノートパソコン１は、図２に示すように、コンピュータ内部にてデータの送受を行うデータバス１１に、後述する記憶装置１５に記憶されているオペレーティングシステムプログラム（ＯＳ）やＵＳＢメモリ２に記憶されている抽出アプリケーションプログラムを実行するＣＰＵ１２、ワークメモリ等として使用されるＲＡＭ１３、キーボード７やマウス８が接続される操作入力部１４、磁気ディスクや光磁気ディスクから成る記憶装置１５、ディスプレイ６が接続され該ディスプレイ６に表示される表示画面の生成処理を行うグラフィックボード等から成る表示処理部１６、ＵＳＢメモリ２が装着されるコネクタやＵＳＢメモリ２とのデータの送受信を行う通信部とから成るＵＳＢインターフェイス部３が接続された通常のコンピュータであり、記憶装置１５内には、例えばデジタルカメラにて撮像された画像が記録された本実施例における特定形式のデータであるＪＰＥＧ形式の画像データ（ファイル）が記憶されている。
【００１４】
このノートパソコン１の前記ＵＳＢインターフェイス部３に接続されるＵＳＢメモリ２は、図１並びに図２に示すように、断面視四角棒状の記憶媒体であり、その内部には、不揮発性メモリであるフラッシュメモリ２２とともに、該フラッシュメモリ２２にローカルに接続された小型の制御マイコン２１とが搭載されている。
【００１５】
この制御マイコン２１内部には、内蔵する内部ＲＯＭに記憶されている制御プログラムに基づいてＵＳＢメモリ２の動作、具体的には、フラッシュメモリ２２からの読み出しや書き込み等制御するＣＰＵコア部と、装着されるノートパソコン１のＵＳＢインターフェイス部３との間においてデータの送受を実施するＵＳＢコントローラ部とが設けられている。
【００１６】
また、フラッシュメモリ２２には、抽出アプリケーションプログラムを記憶するアプリ記憶領域と、該抽出アプリケーションプログラムによって装着されたノートパソコン１により抽出されたＪＰＥＧファイルが記憶されるデータ記憶領域とが設けられており、これら領域へのアクセスは、前記制御マイコン２１にて管理されているとともに、前記アプリ記憶領域内には、該ＵＳＢメモリ２をＵＳＢインターフェイス部３に装着された際に、該ノートパソコン１において実行されているオペレーティングシステムプログラム（ＯＳ）により抽出アプリケーションプログラムが自動実行されるようにするための自動起動用データ、例えば抽出アプリケーションプログラムのプログラム名が記述されたＡＵＴＯＲＵＮファイルが記憶されている。
【００１７】
以下、本実施例のＵＳＢメモリ２を使用して、ノートパソコン１に記憶されているＪＰＥＧファイルを抽出する流れについて、図３に示すフロー図に基づいて説明する。
【００１８】
まず、利用者はＵＳＢメモリ２を、抽出したいＪＰＥＧファイルが記憶されているノートパソコン１のＵＳＢインターフェイス部３に装着する。
【００１９】
このＵＳＢインターフェイス部３へ装着されたＵＳＢメモリ２は、ノートパソコン１にて実行されているオペレーティングシステムプログラム（ＯＳ）からは仮想ＣＤ−ＲＯＭとして認識され、所定の記憶領域、具体的には、前記アプリ記憶領域内の所定領域に記憶されている前述のＡＵＴＯＲＵＮファイルが読み出されて、該ＡＵＴＯＲＵＮファイルに記述されている自動実行プログラム名である抽出アプリケーションプログラムのプログラム名に基づいて、該抽出アプリケーションプログラムが読み出されて自動実行（起動）される。
【００２０】
このように本発明においては、ＵＳＢメモリ２の装着により抽出アプリケーションプログラムを自動起動するようにしているが、本発明はこれに限定されるものではなく、これら抽出アプリケーションプログラムの起動を、利用者が、オペレーティングシステムプログラム（ＯＳ）に応じた所定の起動操作を実施して起動するようにしても良い。
【００２１】
このように装着されることで自動実行（起動）された抽出アプリケーションプログラムは、図３に示す各ステップの処理を実施する。具体的には、まず、当該抽出アプリケーションプログラムの読み出し元となる仮想ＣＤ−ＲＯＭドライブのデータ記憶領域の記憶状況を確認する（Ｓ１）。
【００２２】
そして、該仮想ＣＤ−ＲＯＭドライブのデータ記憶領域に、特定形式となるＪＰＥＧファイル（.ＪＰＧ）が既に記憶されているか否かを判定する（Ｓ２）。
【００２３】
該判定において、既にＪＰＥＧファイル（.ＪＰＧ）が記憶されている場合には、Ｓ３に進んで、該に記憶されているＪＰＥＧファイル（.ＪＰＧ）の消去の実施／非実施を受付ける一方、記憶されていない場合にはＳ６に進む。
【００２４】
そして、Ｓ３においては、ディスプレイ６に「既に記憶されているファイルを消去しますか？  ＹＥＳ／ＮＯ」の受付けメニューウインドウを表示して、利用者から該に記憶されているＪＰＥＧファイル（.ＪＰＧ）の消去の実施／非実施を受付け、「ＹＥＳ」を受付けたときにはＳ４において「ＹＥＳ」と判定してＳ５に進んで該に記憶されているＪＰＥＧファイル（.ＪＰＧ）の消去を、ＵＳＢメモリ２の制御マイコン２１に対して消去指示を送信することにより実行するとともに、「ＮＯ」を受付けたときにはＳ４において「ＮＯ」と判定してＳ５を実施することなくＳ６に進むことで、該に記憶されているＪＰＥＧファイル（.ＪＰＧ）は消去されることなく継続記憶される。つまり、Ｓ３により本発明における消去受付けステップに該当する。
【００２５】
そしてＳ６において、当該ノートパソコン１に接続されているドライブを全て特定し、ＪＰＥＧファイル（.ＪＰＧ）の抽出対象として順次、ドライブを選出する。
【００２６】
そしてＳ７に進み、Ｓ６にて選出した１つのドライブ中に、抽出対象外とする特定のフォルダ、例えば、オペレーティングシステムプログラム（ＯＳ）が記憶されている特定のフォルダであるシステムフォルダや、インターネット上のホームページを表示する際のキャッシュデータ等が記憶される特定のフォルダ等が存在するか否かを判定する。これら特定のフォルダは、当該ノートパソコン１にて使用されているブラウザプログラム等の種別等から特定すれば良い。
【００２７】
このＳ７における判定において、特定のフォルダが存在する場合にはＳ１４に進んで、存在する該特定のフォルダを検索対象から除外して、該特定のフォルダ中に記憶されているＪＰＥＧファイル（.ＪＰＧ）が抽出されないようにした後、Ｓ８に進む。
【００２８】
このＳ８においては、該選出したドライブに記憶されている特定形式であるＪＰＥＧファイル（.ＪＰＧ）を検索する。つまり、該Ｓ８が本発明における検索ステップに該当する。
【００２９】
そしてＳ９に進み、Ｓ８における検索において見つかったＪＰＥＧファイル（.ＪＰＧ）を、全て読み出して仮想ＣＤ−ＲＯＭドライブであるＵＳＢメモリ２に送信することで、これら検索において見つかった全てのＪＰＥＧファイル（.ＪＰＧ）をＵＳＢメモリ２にコピーする。つまり、該Ｓ９が本発明における複製記憶ステップに該当する。
【００３０】
そしてＳ１０に進んで、Ｓ６において特定した全てのドライブを選出済みであるか否かを判定し、選出済みでない場合には、再度Ｓ６に戻り、Ｓ６からＳ９までの処理を他の未選出のドライブにおいて順次実施する一方、全てのドライブを選出済みである場合には、Ｓ１１に進んで、図４に示すように、仮想ＣＤ−ＲＯＭドライブであるＵＳＢメモリ２のデータ記憶領域に記憶されているＪＰＥＧファイル（.ＪＰＧ）の簡易画像を一覧表示する、アルバム画面生成表示処理を実施する。
【００３１】
具体的に本実施例のアルバム画面生成表示処理においては、簡易画像としてＪＰＥＧファイル（.ＪＰＧ）に付与されているプレビュー画像を、ＵＳＢメモリ２のデータ記憶領域に記憶されているＪＰＥＧファイル（.ＪＰＧ）から読み出し、これら読み出したプレビュー画像を図４に示すようにアルバム的に一覧表示するためのアルバム画面を生成するとともに、各プレビュー画像に対応付けて「不要」、並びに「元画像消去」のチェックボックスを設けたアルバム画面とし、該生成したアルバム画面をディスプレイ６に表示する。
【００３２】
尚、本実施例では、プレビュー画像は対応する本画像のＪＰＥＧファイル（.ＪＰＧ）にリンクされたサムネルとされており、各プレビュー画像を所定の選択操作を実施することで、本画像のＪＰＥＧファイル（.ＪＰＧ）が個別のウインドウにおいて詳細表示されることで、本画像を簡便に確認できるようになっている。
【００３３】
このアルバム画面生成表示処理の実施後、Ｓ１２に進んで、表示されたアルバム画面において、「不要」並びに「元画像消去」のチェックボックスへのチェックによる「不要」並びに「元画像消去」の受付けを実施する。つまり、Ｓ１２は、本発明における選別ステップに該当する。
【００３４】
そして、これらの受付けの終了後において、利用者がアルバム画面の末尾に設けられている図示しない「ＯＫ」を選択入力することに基づいてＳ１３に進み、「不要」がチェックされたプレビュー画像が対応する本画像のＪＰＥＧファイル（.ＪＰＧ）を全てＵＳＢメモリ２のデータ記憶領域から消去するとともに、「元画像消去」がチェックされたプレビュー画像が対応する本画像のＪＰＥＧファイル（.ＪＰＧ）を、当該本画像のＪＰＥＧファイル（.ＪＰＧ）が記憶されているノートパソコン１の該当ドライブから消去した後、当該抽出アプリケーションプログラムを終了する。つまり、Ｓ１３は、本発明における削除ステップ並びに元画像データ削除ステップに該当する。
【００３５】
以上、本実施例によれば、利用者は、取り出したい特定形式のデータであるＪＰＥＧファイル（.ＪＰＧ）が記憶されているノートパソコン１に本発明のコンピュータ端末用記憶媒体となるＵＳＢメモリ２を装着し、該ノートパソコン１にてＵＳＢメモリ２に記憶されている抽出アプリケーションプログラムを実行させることで、該ノートパソコン１に記憶されているＪＰＥＧファイル（.ＪＰＧ）がＵＳＢメモリ２の記憶部となるデータ記憶領域に複製（コピー）記憶されるので、利用者が高齢者等の操作弱者であっても、ノートパソコン１に記憶されているＪＰＥＧファイル（.ＪＰＧ）が記憶された記憶媒体を簡便に作成することができる。
【００３６】
また、本実施例によれば、ＵＳＢメモリ２の装着により抽出アプリケーションプログラムが自動起動されるので、利用者は、取り出したい特定形式のデータであるＪＰＥＧファイル（.ＪＰＧ）が記憶されているノートパソコン１にＵＳＢメモリ２を装着することで、抽出アプリケーションプログラムが自動的に起動されるので、操作弱者な利用者が該抽出アプリケーションプログラムの起動操作を行う手間を省くことができる。
【００３７】
また、本実施例によれば、取り出したい特定形式のデータであるＪＰＥＧファイル（.ＪＰＧ）と同じＪＰＥＧファイル（.ＪＰＧ）であるが、取り出す必要の無いデータ等が記憶されていることが予め判明している特定の記憶領域（フォルダ）、例えば記憶装置において利用者がデータを記憶することが殆どないオペレーティングシステムプログラムの記憶領域（フォルダ）や、例えばＨＴＭＬファイルのキャッシュ画像データが記憶される特定の記憶領域（フォルダ）等が検索されて、不必要なＪＰＥＧファイル（.ＪＰＧ）が複製記憶されてしまうことを回避できる。
【００３８】
また、本実施例によれば、抽出アプリケーションプログラムが本発明における消去受付けステップとなるＳ３において、利用者からの消去の受付けに応じて既にデータ記憶領域に記憶されているＪＰＥＧファイル（.ＪＰＧ）が消去されるので、これら既にデータ記憶領域に記憶されているＪＰＥＧファイル（.ＪＰＧ）と、本発明における複製記憶ステップとなるＳ９において新たに複製記憶されるＪＰＥＧファイル（.ＪＰＧ）がデータ記憶領域に混在することで、データ記憶領域に複製記憶されたＪＰＥＧファイル（.ＪＰＧ）の中から所望のＪＰＥＧファイル（.ＪＰＧ）を特定し難くなってしまうことを回避できる。
【００３９】
また、本実施例によれば、アルバム画面生成表示処理が実施されることで、図４に示すアルバム画面がディスプレイ６に表示されるようになるので、利用者は、データ記憶領域に複製記憶された画像データとなるＪＰＥＧファイル（.ＪＰＧ）のうち、不必要なＪＰＥＧファイル（.ＪＰＧ）と必要なＪＰＥＧファイル（.ＪＰＧ）との選別を、簡易画像（プレビュー画像）にて各画像データを確認しながら実施し、不必要なＪＰＥＧファイル（.ＪＰＧ）を簡便に消去することができる。
【００４０】
また、本実施例によれば、図４に示すアルバム画面において「元画像消去」のチェックボックスを設けることで、利用者は、ＵＳＢメモリ２に複製記憶したＪＰＥＧファイル（.ＪＰＧ）の元画像データをノートパソコン１に継続して記憶しておく必要がない場合には、該元画像データの所在を、ノートパソコン１の記憶装置において探し出すことなく簡便に消去することができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、特定形式のデータを画像データであるＪＰＥＧファイル（.ＪＰＧ）とした例を示したが、本発明はこれに限定されるものではなく、これら特定形式のデータを、音楽データや音声データであるＷＡＶＥファイルとしたり、或いは、動画データであるＭＰＥＧファイルとしても良く、こえら特定形式のデータは、適宜に選定すれば良い。
【００４３】
また、前記実施例では、記憶媒体としてＵＳＢメモリを使用しており、このようにすることは、近年におけるコンピュータ端末であるパソコンやノートパソコンには、これらＵＳＢインターフェイス部３が、ほぼ全てに設けられていおり、非常に汎用性が高く、該ＵＳＢメモリを使用できないものが非常に少ないとともに、ＵＳＢメモリの通信速度が向上して、データの転送に要する時間が短縮され、かつ、その記憶容量も多くなってきていることから好ましいが、本発明はこれに限定されるものではなく、これら記憶媒体としては、追記や再記憶が可能なＣＤ−Ｒ用のＣＤ−ＲＯＭとしても良いし、或いは携帯可能な光磁気ディスク（ＭＯディスク）としても良く、これら記憶媒体としては、使用するコンピュータ端末に応じて適宜に選択すれば良い。
【００４４】
また、前記実施例では、利用者が抽出アプリケーションプログラムを起動できるように、オペレーティングシステムプログラム（ＯＳ）上において、抽出アプリケーションプログラムが表示されるようにしているが、本発明はこれに限定されるものではなく、例えば、これら抽出アプリケーションプログラムを他のＵＳＢメモリに複製することで、簡便に不正な本発明のコンピュータ端末用記憶媒体を作成できてしまう虞があることから、これら抽出アプリケーションプログラムが記憶されているアプリ記憶領域を、オペレーティングシステムプログラム（ＯＳ）上において表示されず、利用者から見えないように制御マイコン２１がアドレスを制御したり、或いは、これら抽出アプリケーションプログラムを、制御マイコン２１の内部ロム内に記憶しておき、実行時以外においては、不正に読み出すことができないようにしたり、所定の認証（復号）キーデータを入力した時においてのみ、読み出し可能とされて動作できるように暗号化しても良い。
【図面の簡単な説明】
【００４５】
【図１】本発明の実施例におけるＵＳＢメモリ２と該ＵＳＢメモリ２が装着されるノートパソコン１を示す図である。
【図２】本発明の実施例におけるＵＳＢメモリ２と該ＵＳＢメモリ２が装着されるノートパソコン１の構成を示すブロック図である。
【図３】本発明の実施例におけるＵＳＢメモリ２に記憶されている抽出アプリケーションプログラムの処理内容を示すフロー図である。
【図４】本発明の実施例におけるアルバム画面を示す図である。
【符号の説明】
【００４６】
１        ノートパソコン
２        ＵＳＢメモリ
３        インターフェイス部
６        ディスプレイ
７        キーボード
８        マウス
１１      データバス
１２      ＣＰＵ１２
１３      ＲＡＭ
１４      操作入力部
１５      記憶装置
１６      表示処理部
２１      制御マイコン
２２      フラッシュメモリ
【図１】
2006304233.tif 000003
【図２】
2006304233.tif 000004
【図３】
2006304233.tif 000005
【図４】
2006304233.tif 000006